(57)【要約】      （修正有）【課題】簡単な形状的特徴により、多くの習練を要することなく、強くバックスピンがかかったボールを容易に打ち出せるアイアン型ゴルフクラブヘッドを提供する。【解決手段】フェース部２０における全高Ｈの下から１／３までの高さ領域内に、前方へ突出する横長の突起３が設けられてなる。突起３のフェース部２０からの前方突出量Ｐは、５〜１０ｍｍの範囲が好ましい。【選択図】図２
0003199093.tif 000002
【実用新案登録請求の範囲】
【請求項１】
フェース部における全高の下から１／３までの高さ領域内に、前方へ突出する横長の突起が設けられてなることを特徴とするアイアン型ゴルフクラブヘッド。
【請求項２】
前記突起のフェース部からの前方突出量が５〜１０ｍｍの範囲にある請求項１に記載のアイアン型ゴルフクラブヘッド。
【請求項３】
シャフト軸線を垂直面内に位置させて接地させたクラブヘッドのソール部とゴルフボールとが同一水平面上にあるとき、前記突起が該ゴルフボールの中心よりも下位になるように設定されてなる請求項１又は２に記載のアイアン型ゴルフクラブヘッド。
【考案の詳細な説明】
【技術分野】
【０００１】
本考案は、打球にバックスピンをかけ易いアイアン型ゴルフクラブヘッドに関する。
【背景技術】
【０００２】
一般的に、アイアン型ゴルフクラブは、主として１００〜２００ヤードの距離を打つためのクラブであって、図６及び図７に示すように、スチール又はカーボンファイバーよりなるシャフト１の先端に鉄製のヘッド２が装着され、３番から９番までの番手がある。そして、その番手の小さいほど長距離向けでシャフト１が長く、且つフェース部２０の傾きであるロフト角θｂが小さくなっており、ロフト角θｂによって飛距離が決まるように設定されている。アプローチで用いるピッチングウェッジ、ならびにバンカーショットで用いるサンドウェッジもアイアン型ゴルフクラブであり、打球を高く上げるためにロフト角θｂが大きくなっている。なお、図では８番アイアン（ロフト角θｂ＝３９°）に相当するものを例示している。そのヘッド２のフェース部２０には、通常１０本前後の溝状のスコアライン２０ａが上下等間隔で平行に設けてある。また、ヘッド２の大きさ、ソール２１の幅、ライ角θａには使用者による選択幅がある。
【０００３】
ところで、ゴルフ競技においてフェアウェイの最終ショットでボールをグリーンに載せる場合、距離に応じた番手のアイアン型ゴルフクラブが使用されるが、落下したボールがグリーンの下り勾配に沿ってカップから離れた遠方まで転がってしまうと、当然にスコアを伸ばすことが困難になる。そこで、アイアン打法として、ボールにバックスピンをかけてカップ位置より後方に落下させ、そのバックスピンの回転力により、下り傾斜での転がりを抑えてカップ近くにボールを停止させたり、下り傾斜を逆に登り戻らせてボールをカップに近付ける技術がある。
【０００４】
このようにボールにバックスピンをかけるには、ヘッド２のフェース部２０をボールを飛ばす方向に対して４５〜６０°程度上に向け、ダウンブローでショットすることにより、フェース部２０でボールを擦過して回転力を与えることが基本になる。これにより、低い弾道でスピンがかかったボールを打ち出せるが、特に打球の瞬間にフェース部２０を大きく前方へ加速させることでスピンをより強くできるとされている。しかるに、バックスピンの効いたショットを行うには、フェース部の開き、クラブの振り方とスピード、打球の角度等を上手くコントロールせねばならず、そのコツを体得するために繰り返しボールを打って練習する必要がある。
【０００５】
一方、従来よりアイアン型ゴルフクラブとして、バックスピンがかかり易いように、クラブヘッドの形状に工夫を加えたものが種々提案されている。これら提案に係るクラブヘッドの多くは、スコアラインを有するフェース部に更に多数本の微細溝を所定パターンで設け、これら微細溝によってフェース部のボールに対する摺接抵抗を増加させることで、ボールにより大きな回転力を与える方式（特許文献１〜３）か、ソール部にトウ・ヒール方向に沿う突起を設けたり（特許文献４）、ソール部をトウ・ヒール方向に沿って下方へ凸の山形に形成する（特許文献５）ことにより、ショット時に該ソール部の地面との接触抵抗でヘッドをロフト角が減少するように瞬間的に変位させ、それによるギヤ効果でボールのバックスピンを増強させる方式である。
【先行技術文献】
【特許文献】
【０００６】
【特許文献１】特開２００８−２７２２７１号公報
【特許文献２】特開２０１０−８８６７８号公報
【特許文献３】特開２０１３−２３０２８０号公報
【特許文献４】特開２００６−１３０１９６号公報
【特許文献５】特開２０１５−４７３０５号公報
【考案の概要】
【考案が解決しようとする課題】
【０００７】
しかしながら、上記従来の提案に係るアイアン型ゴルフクラブヘッドでは、上記両方式共に各々のクラブヘッドが独特な形態であるから、バックスピン増強効果を確実に発現させることが容易ではなく、それに合ったショット技術を習熟するために多くの労力と試行錯誤を要することになる。
【０００８】
本考案は、上述の事情に鑑みて、アイアン型ゴルフクラブヘッドとして、簡単な形状的特徴により、多くの習練を要することなく、強くバックスピンがかかったボールを容易に打ち出せるものを提供することを目的としている。
【課題を解決するための手段】
【０００９】
上記目的を達成するための手段を図面の参照符号を付して示せば、請求項１の考案に係るアイアン型ゴルフクラブヘッドは、フェース部２０における全高Ｈの下から１／３までの高さ領域（１／３Ｈ）内に、前方へ突出する横長の突起３が設けられてなることを特徴としている。
【００１０】
請求項２の考案は、上記請求項１のアイアン型ゴルフクラブヘッドにおいて、突起３のフェース部２０からの前方突出量Ｐが５〜１０ｍｍの範囲にあるものとしている。
【００１１】
請求項３の考案は、上記請求項１又は２のアイアン型ゴルフクラブヘッドにおいて、シャフト軸線ｓを垂直面内に位置させて接地させたクラブヘッド２のソール部２１とゴルフボール４とが同一水平面上にあるとき、突起３が該ゴルフボール４の中心Ｏよりも下位になるように設定されてなるものとしている。
【考案の効果】
【００１２】
次に、本考案の効果について図面の参照符号を付して説明する。まず、請求項１の考案に係るアイアン型ゴルフクラブヘッドでは、フェース部２０の下から１／３までの高さ領域（１／３Ｈ）に前方へ突出する横長の突起３を有するから、ショットした際、該突起３がゴルフボール４の中心Ｏよりも下位の周面に衝当し、その打圧ベクトルによって衝当部のボール周面が強制的に斜め下向きに移動するように誘導され、もって該ゴルフボール４は強くバックスピンがかかった状態で低い弾道で打ち出されることになる。この場合のショット操作は一般的なアイアン型ゴルフクラブによる通常のダウンブロー打法でよいから、格別なショット技術を苦労して習得する必要がなく、中級者は無論のこと、初級者クラスでも容易にバックスピンの効いたボールを打つことができる。
【００１３】
請求項２の考案によれば、突起３のフェース部２０からの前方突出量Ｐが特定範囲にあるから、より確実にバックスピンの効いたボールを打ち出せる。
【００１４】
請求項３の考案によれば、シャフト軸線ｓを垂直面内に位置させて接地させたクラブヘッド２のソール部２１とゴルフボール４とが同一水平面上にあるとき、突起３が該ゴルフボール４の中心Ｏよりも下位になるから、ショットされた該ゴルフボール４に確実に強いバックスピンがかかることになる。
【図面の簡単な説明】
【００１５】
【図１】本考案のアイアン型ゴルフクラブヘッドの一実施形態を示す側面図である。
【図２】同クラブヘッドとゴルフボールを示す正面図である。
【図３】同クラブヘッド及びゴルフボールのショット時の挙動を示す正面図である。
【図４】同クラブヘッドによるショット状況を示す斜視図である。
【図５】同クラブヘッドでショットしたゴルフボールのグリーン上での挙動を示す正面図である。
【図６】従来の一般的なアイアン型ゴルフクラブヘッドの側面図である。
【図７】同アイアン型ゴルフクラブヘッドの正面図である。
【考案を実施するための形態】
【００１６】
以下に、本考案の一実施形態に係るアイアン型ゴルフクラブヘッドについて、図面を参照して具体的に説明する。なお、このクラブヘッドにおいて、既述した図６，７で示す従来構成のクラブヘッドと共通する構成部分には同じ符号を附し、既述に重複する説明は省略している。
【００１７】
図１及び図２に示すように、このアイアン型ゴルフクラブのクラブヘッド２は、８番アイアン（ロフト角θｂ＝３９°）に相当し、図６，７で示す従来構成のものと全体的形状は略同様であるが、そのフェース部２０の下部側にトウ・ヒール方向に沿う横長の突起３を有することが特徴である。
【００１８】
この突起３は、フェース部２０の下から１／３までの高さ領域、つまりフェース部２０の全高Ｈを上下に３分割した場合の下側１／３Ｈの領域内に突設されており、平坦な頂面を有している。そして、クラブのアドレス時の位置的には、シャフト軸線ｓが垂直面内にあってクラブヘッド２のソール部２１を接地させた状態において、図２に示すように該ソール部２１とゴルフボール４とが同一水平面上にあるとき、突起３は該ゴルフボール４の中心Ｏよりも下位になるように設定されている。すなわち、アドレス時の突起３の接地面からの高さは、ゴルフボール４の径φが１．６８インチ（４２．６７ｍｍ）として、その半径ｒ分の０．８６インチよりも低位に配置することになる。
【００１９】
このようなアイアン型ゴルフクラブヘッドによれば、図３及び図４に示すように、競技者ＭがアイアンクラブＡｃのダウンブローでゴルフボール４をショットした際、フェース部２０の突起３がゴルフボール４の中心Ｏよりも下位の周面に衝当し、その打圧ベクトルによって衝当部のボール周面が強制的に斜め下向きに移動するように誘導され、これによって該ボール４に強くバックスピンがかかる。従って、ショットされたゴルフボール４は、図３の仮想線及び図４の実線で示すように、バックスピンしながら低い弾道で打ち出されることになる。そして、このように強くバックスピンのかかったボール４は、図５に示すように、グリーンＧ上のカップＣより奥側の下り勾配の位置に落下すると、その下り勾配に沿って遠方まで転がってしまうことなく、落下位置からバックスピンによって該下り勾配を逆上って転動し、もってカップＣに近付いて停止することになり、それだけ競技者Ｍがスコアを伸ばすのに有利となる。
【００２０】
この場合のショット操作は一般的なアイアン型ゴルフクラブによる通常のダウンブロー打法でよいから、このアイアン型ゴルフクラブヘッドを使用すれば、バックスピンをかけるための格別なショット技術を苦労して習得する必要がなく、中級者は無論のこと、初級者クラスでも容易にバックスピンの効いたボールを打つことができる。
【００２１】
図２で示す突起３のフェース部２０からの前方突出量Ｐは、特に制約されないが、５〜１０ｍｍの範囲が好ましく、低過ぎてはバックスピンの増強作用が不充分になり、高過ぎては打球の方向性が不安定になる。また、該突起３の長さ、つまり図１で示すトウ・ヒール方向の幅Ｗ２は、特に制約されないが、フェース部２０のトウ・ヒール方向に沿う幅Ｗ１の３０％以上であることが望ましく、短過ぎてはトウ・ヒール方向の打球位置によって該突起３がボール４から外れ易くなる。一方、図２に示す突起３の上下幅Ｂとしては、特に制約されないが、５〜１５ｍｍ程度がよく、狭過ぎてはボール表面への食い込みが強くなって却ってバックスピンを阻害し、逆に広すぎてもバックスピンの増強作用が低下する。なお、突起３の頂部は、図示のような平坦面以外に、縦断面で凸曲面や広角の屋根形等の種々の形態に設定できる。
【００２２】
本考案のアイアン型ゴルフクラブヘッドは、図１〜図３に例示したものに限らず、ライ角θａ及びロフト角θｂ、フェース部２０の大きさ、フェース部２０におけるスコアライン２０ａの本数及び有無、ソール部２１の幅等、細部構成については実施形態以外に種々設計変更可能である。また、本考案は、フォージド・アイアン、キャスト・アイアン、ハイブリッド・アイアン等の、アイアン型ゴルフクラブとしての種々のヘッドタイプにも適用できる。
【符号の説明】
【００２３】
１      シャフト
２      クラブヘッド
２０    フェース部
２０ａ  スコアライン
２１    ソール部
３      突起
４      ゴルフボール
Ｈ      フェース部の全高
Ｏ      ゴルフボールの中心
Ｐ      前方突出量
ｓ      シャフト軸線
【図１】
0003199093.tif 000003
【図２】
0003199093.tif 000004
【図３】
0003199093.tif 000005
【図４】
0003199093.tif 000006
【図５】
0003199093.tif 000007
【図６】
0003199093.tif 000008
【図７】
0003199093.tif 000009